(57)【特許請求の範囲】
【請求項１】
内部に錘を含み、略平行な第一の面と第二の面を有する略円柱状の本体部と、
前記第一の面に略平行な位置関係で、両端部において前記本体部に一体的に設けられている１本の第一の棒状ハンドルと、
前記第二の面に略平行な位置関係で、両端部において前記本体部に一体的に設けられている略平行な２本の第二の棒状ハンドルと、
を有すること、
を特徴とする身体強化スイング練習器具。
【請求項２】
前記第一の棒状ハンドルと前記第二の棒状ハンドルとが略平行の位置関係にあること、
を特徴とする請求項１に記載の身体強化スイング練習器具。
【発明の詳細な説明】
【技術分野】
【０００１】
本発明は、ゴルフスイング等のスイングの練習をするとともに、身体を強化するために用いることができるスイング練習器具に関する。
【背景技術】
【０００２】
従来、ゴルフスイングを練習するために様々なスイング練習器具が用いられており、手で握ってスイングするものがいくつか開発されている。例えば、特許文献１（実用新案登録第３０７８４７８号公報）においては、「ゴルフ練習用器具の提供」という課題を計活すべく、「グリップ、連結手段及び透明容器を包括し、透明容器内に６乃至８分の水位の水が収容され、水位の平衡静止を観察並びに制御すること、及び力の釈放により、正確で有効なスイングの練習を行えるようにした。」ことが提案されている。
【０００３】
また、特許文献２（特開２００４−３２１７５６号公報）においては、「ゴルフの利き手腕の筋力増強及びゴルフのスイングパワーアップ向上同時に図る事ができる。」という課題を解決すべく、「鉄アレイ本体に握り部となる５本の指が握れる様にし握り部の上部はクラブヘッド形にし重さを変える事で鉄アレイ本体重量が５００ｇ〜２ｋｇまで重量であることを特徴とするゴルフ用の腕力スイング鉄アレイ。」等が提案されている。
【０００４】
更に、特許文献３（特開２０１２‐０６５９１２号公報）においては、「体幹と腕によるクラブヘッドの操作感覚を効率的に鍛えられるゴルフスイング練習用具を提供する。」という課題を解決すべく、「錘部とグリップ部とグリップエンドが一体に成形されたゴルフスイング練習用具であって、全重量が３ｋｇ以上、全長が３００ｍｍ以下であり、 錘部の重心が、グリップ部の長手方向の軸上にあり、 グリップ部は、長手方向の長さが１６０〜２２０ｍｍ、外径が１８〜３５ｍｍであり、長さ方向の中央部からグリップエンドにかけて徐々に太径になっており、 グリップエンドは、グリップ部の最大外径よりもさらに大きい最大外径を有するゴルフスイング練習用具。」が提案されている。
【先行技術文献】
【特許文献】
【０００５】
【特許文献１】実用新案登録第３０７８４７８号公報
【特許文献２】特開２００４―３２１７５６号公報
【特許文献３】特開２０１２‐０６５９１２号公報
【発明の概要】
【発明が解決しようとする課題】
【０００６】
しかしながら、上記のような従来のスイング練習用具では、確かにスイングそのものの練習には使用できるものの、特にゴルフで重要な「肘を締める（ひじをしめる）」練習を効果的には行うことはできず、併せて、身体を鍛錬・強化できるものではなかった。
そこで、本発明は、ゴルフで重要な「肘を締める（ひじをしめる）」練習を効果的に行うことができるとともに、特に腹筋・体幹及び下半身といった身体を鍛錬・強化できるスイング練習器具を提供することを目的とする。
【課題を解決するための手段】
【０００７】
本発明者は、「肘を締める（ひじをしめる）」練習を効果的に行いつつ腹筋・体幹及び下半身を鍛錬するためには、一定の重さを有するスイング練習器具が必要で、持ち手の構造に工夫をすることが有効であることを見出し、本発明を完成するに至った。
【０００８】
即ち、本発明は、
錘を含み、略平行な第一の面と第二の面を有する略円柱状の本体部と、
前記第一の面に略平行な位置関係で、両端部において前記本体部に一体的に設けられている１本の第一の棒状ハンドルと、
前記第二の面に略平行な位置関係で、両端部において前記本体部に一体的に設けられている略平行な２本の第二の棒状ハンドルと、
を有すること、
を特徴とする身体強化スイング練習器具、
に関するものである。
【０００９】
このような構成を有する本発明の身体強化スイング練習器具によれば、第一の面（上面）に設けられた１本の第一の棒状ハンドル（把持部）をゴルフグリップのように縦方向に両手で握ってスイング練習することにより、腹筋・体幹及び下半身を鍛錬して強化しつつ、トップ位置からダウンスイング・フィニッシュまでの総合練習が可能である。また、第二の面（下面）に設けられた２本の第二の棒状ハンドル（把持部）を横方向に並べて両手で握ってスイング練習することにより、腹筋・体幹及び下半身を鍛錬して強化しつつ、肘を締める（ひじをしめる）練習が可能である。例えば、本発明の身体強化スイング練習器具は、例えば３ｋｇ又は１．５ｋｇのように所定の重量を持たせるとよい。
【発明の効果】
【００１０】
本発明の身体強化スイング練習器具によれば、ゴルフで重要な「肘を締める（ひじをしめる）」練習を効果的に行うことができるとともに、特に腹筋・体幹及び下半身といった身体を鍛錬・強化できるスイング練習器具を提供することができる。
【図面の簡単な説明】
【００１１】
【図１】本発明の身体強化スイング練習器具の一実施形態の正面図である。
【図２】図１に示す実施形態に係る身体強化スイング練習器具１の側面図である。
【図３】図１に示す実施形態に係る身体強化スイング練習器具１の平面図である。
【図４】図１に示す実施形態に係る身体強化スイング練習器具１の底面図である。
【図５】図２におけるＡ−Ａ線断面を示す断面図である。
【図６】図１に示す実施形態に係る身体強化スイング練習器具１の使用状態を示す参考図１である。
【図７】図１に示す実施形態に係る身体強化スイング練習器具１の使用状態を示す参考図２である。
【図８】図１に示す実施形態に係る身体強化スイング練習器具１の使用状態を示す参考図３である。
【発明を実施するための形態】
【００１２】
以下、図面を参照しながら本発明の身体強化スイング練習器具の代表的な実施形態について詳細に説明するが、本発明はこれらのみに限定されるものではない。なお、以下の説明では、同一または相当部分には同一符号を付し、重複する説明は省略する場合がある。また、図面は、本発明を概念的に説明するためのものであるから、表された各構成要素の寸法やそれらの比は実際のものとは異なる場合もある。
【００１３】
図１〜図４に示すように、本発明の一実施形態に係る身体強化スイング練習器具１は、錘を含み（図示せず。）、略平行な第一の面２ａと第二の面２ｂを有する略円柱状の本体部２で構成されている。図１に示すように、この本体部２の高さＨが本体部２の幅（直径）Ｄよりも小さく形成されていることにより（Ｈ＜Ｄ）、不使用時に安定的に載置することができる。
【００１４】
錘は本体部２に内蔵されていてもよく、本体部２そのものが錘であってもよい。また、直径Ｄは例えば２０〜２５ｃｍが、スイングのし易さという観点から好適であり、更には２３．５ｃｍが好ましい。
【００１５】
そして、図２及び図３に示すように、上面の第一の面２ａ側には、第一の面２ａに略平行な位置関係で、両端部４ａ及び４ｂにおいて１本の第一の棒状ハンドル４が、本体部２に一体的に設けられている。第一の面２ａと第一の棒状ハンドル４との間には、第一の棒状ハンドル４を握ることができるように、人の手が入る程度の隙間が空けられている。
【００１６】
また、図２及び図４に示すように、下面の第二の面２ｂ側には、第二の面２ｂに略平行な位置関係で、両端部６ａ及び６ｂにおいて、略平行な２本の第二の棒状ハンドル６が、本体部２に一体的に設けられている。第二の面２ｂと第二の棒状ハンドル６との間にも、第二の棒状ハンドル６を握ることができるように、人の手が入る程度の隙間８が空けられている。
【００１７】
本実施形態の身体強化スイング練習器具１では、図２及び図５に示すように、第一の棒状ハンドル４と第二の棒状ハンドル６とが略平行の位置関係にある。なお、図５は、図２におけるＡ−Ａ線断面を示す断面図である。
【００１８】
上記のような本実施形態の身体強化スイング練習器具１は、全体が鉄等の金属で構成されていてもよく、また、鉄製の塊と、当該塊を覆うゴムやシリコーン等の樹脂製のカバーと、が一体的に形成された構成であってもよい。第一の棒状ハンドル４及び第二の棒状ハンドル６の部分が、鉄等の金属で構成されていてもよい。
【００１９】
ここで、本実施形態の身体強化スイング練習器具１の使用方法について説明する。
【００２０】
まず、図６（図１に示す実施形態に係る身体強化スイング練習器具１の使用状態を示す参考図１）に示すように、第一の面２ａ側に設けられた１本の第一の棒状ハンドル４をゴルフグリップのように縦方向に両手で握ってスイング練習することができる。これにより、腹筋・体幹及び下半身を鍛錬して強化しつつ、トップ位置からダウンスイング・フィニッシュまでの総合練習が可能である。
【００２１】
次に、図７（図１に示す実施形態に係る身体強化スイング練習器具１の使用状態を示す参考図２）に示すように、第二の面２ｂ側に設けられた２本の第二の棒状ハンドル６を横方向に並べて両手で握ってスイング練習することができる（ダブルハンド）。これにより、腹筋・体幹及び下半身を鍛錬して強化しつつ、肘を締める（ひじをしめる）練習が可能である。重さがあることから、肘を締めなければうまくスイングできないためである。
【００２２】
更に、図８（図１に示す実施形態に係る身体強化スイング練習器具１の使用状態を示す参考図３）に示すように、第二の面２ｂ側に設けられた２本の第二の棒状ハンドル６を横方向に並べて両手で握ってスイング練習することができる（クロスハンド）。これにより、腹筋・体幹及び下半身を鍛錬して強化しつつ、肘を締める（ひじをしめる）練習とともに肘を畳む（ひじをたたむ）練習が可能である。重さがあることから肘を締めなければうまくスイングできず、また、クロスハンドの場合は肘を畳まなければうまくスイングできないためである。
【００２３】
以上のように構成された本実施形態の身体強化スイング練習器具１を用いてスイングパワーの向上を図る場合、ユーザーは適度な重量感と肘の締め方及び畳み方を体感でき、素振りを繰り返すことでパワーアップ効果及びスイング適正化効果を得ることができる。
【００２４】
以上、本発明の代表的な実施形態について説明したが、本発明はこれらのみに限定されるものではなく、種々の設計変更が可能であり、それら設計変更は全て本発明の技術的範囲に含まれる。即ち、例えば身体強化スイング練習器具１の表面には種々の塗装や印刷、シール貼付等も可能である。また、本体部２の形状は正確な円柱状ではなくてもよい。
【符号の説明】
【００２５】
１・・・身体強化スイング練習器具、
２・・・本体部、
４・・・第一の棒状ハンドル、
４ａ、４ｂ・・・両端部、
６・・・第二の棒状ハンドル、
６ａ、６ｂ・・・両端部、
８・・・隙間。
【要約】      （修正有）【課題】ゴルフで重要な「肘を締める（ひじをしめる）」練習を効果的に行うことができるとともに、特に腹筋・体幹及び下半身といった身体を鍛錬・強化できるスイング練習器具を提供する。【解決手段】身体強化スイング練習器具１は内部に錘を含み、略平行な第一の面２ａと第二の面２ｂを有する略円柱状の本体部と、第一の面に略平行な位置関係で、両端部において本体部に一体的に設けられている１本の第一の棒状ハンドル４と、第二の面に略平行な位置関係で、両端部において本体部に一体的に設けられている略平行な２本の第二の棒状ハンドル６と、を有する。【選択図】図２【図１】
0005974322.tif 000002
【図２】
0005974322.tif 000003
【図３】
0005974322.tif 000004
【図４】
0005974322.tif 000005
【図５】
0005974322.tif 000006
【図６】
0005974322.tif 000007
【図７】
0005974322.tif 000008
【図８】
0005974322.tif 000009